(57)【特許請求の範囲】
【請求項１】
公衆通信回線を経由してリモートサーバーに接続する通信回線制御部と、前記リモートサーバーから受信したデータを一時記憶させる受信データメモリと、前記リモートサーバーへの接続および前記受信データより所定の表示画面を生成するブラウザソフトを記憶しているブラウザメモリと、前記接続先のＵＲＬ(Uniform Resource Locater)を記憶しているＵＲＬメモリと、前記生成された表示画面を表示する表示部と、接続先の選択、画面の選択などの操作入力を行う操作部とからなるインターネット用ブラウザ部に、
表示出力する番組を予め記憶し、所要タイミングで該番組を再生するファイル部と、外部装置との通信を制御する外部通信制御部と、外部通信入力した信号により前記ブラウザ部を内部操作する外部操作制御部と、本装置の動作シーケンスのプログラムを記憶している看板システムメモリと、前記看板システムメモリの動作シーケンスに沿って本装置を制御する制御部とを追加設置した電子看板装置と、
公衆通信回線を経由してリモートサーバーに接続する携帯通信回線制御部と、前記リモートサーバーから受信したデータを一時記憶させる携帯受信データメモリと、前記リモートサーバーへの接続および前記受信データより所定の表示画面を生成するブラウザソフトを記憶しているブラウザメモリと、前記接続先のＵＲＬを記憶しているＵＲＬメモリと、前記生成された表示画面を表示する携帯表示部と、接続先の選択、画面の選択などの操作入力を行う操作部とからなるインターネット用携帯ブラウザ部に、
外部装置との通信を制御する携帯通信制御部と、外部通信入力したＵＲＬを一時記憶させる受信ＵＲＬメモリと、携帯端末装置の動作シーケンスのプログラムを記憶している携帯システムメモリと、前記携帯システムメモリの動作シーケンスに沿って携帯端末装置を制御する制御部とを追加設置した携帯端末装置と、
前記電子看板装置に表示する番組データを公衆通信回線もしくは専用通信回線を経由して送出し、前記電子看板装置が必要とする関連サーバーと接続可能な専用サーバー（サーバー装置Ａ）とで構成し、
前記電子看板装置の表示部に関連情報を得るためのＵＲＬを含んだ番組を提供し、前記関連情報を得たい場合は、前記携帯端末装置を操作して、前記電子看板装置より前記外部通信制御部経由で前記関連ＵＲＬを受信し、前記受信ＵＲＬメモリに一時記憶し、携帯制御部は前記受信ＵＲＬを読出し、携帯通信回線制御部を経由して公開されたサーバー装置内の前記ＵＲＬに接続し、該ＵＲＬのデータを受信し、前記携帯受信メモリに一時記憶させることを特徴とするインターネット電子看板システム。
【請求項２】
前記外部通信制御部および携帯通信制御部を、赤外線光をデジタル変調して無線伝送する光通信手段による送受信器とすることを特徴とする請求項１に記載のインターネット電子看板システム。
【請求項３】
前記外部通信制御部および携帯通信制御部を、微弱電波をデジタル変調して無線伝送する電波通信手段による送受信器とすることを特徴とする請求項１に記載のインターネット電子看板システム。
【請求項４】
前記外部通信制御部および携帯通信制御部を、カード式などの接続端子を設け、前記接続端子を経由してデジタル信号を直接伝送する通信手段とすることを特徴とする請求項１に記載のインターネット電子看板システム。
【請求項５】
前記関連サーバーをＰＯＳ（Point Of Sales) 管理用サーバーとし、前記ＵＲＬメモリに前記ＰＯＳ管理用サーバーのＵＲＬを記憶させ、前記電子看板は前記ＰＯＳ管理用サーバーに公衆通信回線または専用通信回線経由で接続し、売上情報、顧客情報などのデータを受信することを特徴とする請求項１に記載のインターネット電子看板システム。
【請求項６】
前記関連サーバーを、チケット、航空券、旅行券などの売上及び予約売上の管理を行う売上管理用サーバーとし、前記ＵＲＬメモリに前記売上管理用サーバーのＵＲＬを記憶させ、前記電子看板は前記売上管理用サーバーに公衆通信回線または専用通信回線経由で接続し、売上情報、顧客情報などのデータを受信することを特徴とする請求項１に記載のインターネット電子看板システム。
【請求項７】
前記関連サーバーを、過去、現時点および近将来までの気象データを管理する気象データサーバーとし、前記ＵＲＬメモリに前記気象データサーバーのＵＲＬを記憶させ、前記電子看板は前記気象データサーバーに公衆通信回線または専用通信回線経由で接続し、気象データを受信することを特徴とする請求項１に記載のインターネット電子看板システム。
【請求項８】
前記関連サーバーを、催し物の会員、サークルの会員、カード会員などの会員情報を管理する会員情報サーバーとし、前記ＵＲＬメモリに前記会員情報サーバーのＵＲＬを記憶させ、前記電子看板は前記会員情報サーバーに公衆通信回線または専用通信回線経由で接続し、会員情報データを受信することを特徴とする請求項１に記載のインターネット電子看板システム。
【発明の詳細な説明】
【０００１】
【本発明の技術分野】
インターネット用ブラウザ機能を活用し、広告や案内などの番組を適時、適正な内容で表示出力すると共に、関連する情報を携帯端末で自動的にリンクする電子看板システムの構築に係わる。
【０００２】
【従来の技術】
従来インターネット用ブラウザ機能を活用した電子看板は、図４に示すように、インターネット用ブラウザ部と大画面表示部７とでなる電子看板装置１ａもしくは同機能の携帯用インターネット用ブラウザ端末である携帯端末装置２１ａと、公衆専用通信回線４０または専用通信回線で結ばれた専用サーバー装置（サーバー装置Ａ）４１とで構成されている。提供する番組は、電子看板装置１ａを操作して所定のＵＲＬ（接続アドレス名またはアドレスコード）をＵＲＬメモリ４から読出入力するか、または操作部２から手動入力して、専用サーバー装置４１に接続し、前記提供する番組のデータを受信する。 受信した番組のデータは受信データメモリ６に一時記憶させる。番組の表示出力は操作部２を操作して、受信データメモリ６より必要な番組を選択読出を行い、該番組のデータより表示画面信号を生成し表示部７に表示出力する。携帯端末装置２１ａは、前述の電子看板装置とほぼ同様な操作機能を有するが、一般的には携帯表示部は小型表示画面であり個人または小人数での利用が可能で、提供する番組の関連情報を収集することに向いている。このように従来技術によると、適時適正な番組の提供を行う為には、常にオペレータが操作するか又は番組利用者が操作するなどの必要がる。 また番組提供者が、その時点で最も適正と考える番組の選択はオペレータの感に頼ることになる。
【０００３】
【発明が解決しようとする課題】
適時適正な広報番組提供のため、専用サーバーに自動的にアクセスし、提供番組の予定表と番組判断機能により番組を表示出力し、関連情報へのアクセスが最小操作で可能ならしめる電子看板システムの構築に関わる。
【０００４】
【課題を解決するための手段】
請求項１は図１および図３に示すように、公衆通信回線４０を経由して専用サーバーに接続する通信回線制御部５と、前記専用サーバーから受信したデータを一時記憶させる受信データメモリ６と、前記専用サーバーへの接続および前記受信データより所定の表示画面を生成するブラウザソフトを記憶しているブラウザメモリ３と、前記接続先のＵＲＬを記憶しているＵＲＬメモリ４と、前記生成された表示画面を表示する表示部７と、接続先の選択、画面の選択などの操作入力を行う操作部２とからなるインターネット用ブラウザ部に、表示出力する番組を予め記憶し、所要タイミングで該番組を再生するファイル部１０と、外部装置との通信を制御する外部通信制御部１１と、外部通信入力した信号により前記ブラウザ部を内部操作する外部操作制御部１２と、本装置の動作シーケンスのプログラムを記憶している看板システムメモリ８と、前記看板システムメモリの動作シーケンスに沿って本装置を制御する制御部９とを追加設置した電子看板装置１と、公衆通信回線４０を経由して専用サーバー４１に接続する携帯通信回線制御部２６と、前記専用サーバーから受信したデータを一時記憶させる携帯受信データメモリ２５と、前記専用サーバーへの接続および前記受信データより所定の表示画面を生成するブラウザソフトを記憶しているブラウザメモリ２３と、前記接続先のＵＲＬを記憶しているＵＲＬメモリ２４と、前記生成された表示画面を表示する携帯表示部２７と、接続先の選択、画面の選択などの操作入力を行う操作部２２とからなるインターネット用携帯ブラウザ部に、外部装置との通信を制御する携帯通信制御部３０と、外部通信入力したＵＲＬを一時記憶させる受信ＵＲＬメモリ３１と、携帯端末装置の動作シーケンスのプログラムを記憶している携帯システムメモリ２８と、前記携帯システムメモリの動作シーケンスに沿って携帯端末装置を制御する制御部２９とを追加設置した携帯端末装置２１と、前記電子看板装置に表示する番組データを公衆通信回線もしくは専用通信回線を経由して送出し、前記電子看板装置が必要とする専用サーバー（サーバー装置Ａ）４１と接続可能な関連サーバー４２、４３とで構成する。
【０００５】
請求項２、３および４は、前記外部通信制御部１１および携帯通信制御部３０を、赤外線光をデジタル変調して無線伝送する光通信手段による送受信器、微弱電波をデジタル変調して無線伝送する電波通信手段による送受信器、およびカード式の接続端子を設け、前記接続端子を経由してデジタル信号を直接伝送する通信手段とする。
【０００６】
請求項５、６、７および８は、前記関連サーバー４３を、ＰＯＳ管理用サーバー４３ａ、チケット、航空券、旅行券などの売上及び予約売上の管理を行う売上管理用サーバー４３ｂ、過去、現時点および近将来までの気象データを管理する気象データサーバー４３ｃおよび催し物の会員、サークルの会員、カード会員などの会員情報を管理する会員情報サーバーとする。
【０００７】
【発明の実施の形態】
ブラウザ部の実施の形態は前述の従来技術の説明の中で述べているので省略し追加機能部について説明する。請求項１は、表示部７に関連情報を得るためのＵＲＬデータを含んだ番組を提供し、利用者が関連情報を得たい場合、携帯端末装置２０の携帯操作部２２を操作して、電子看板装置１の番組よりＵＲＬデータを抽出し、携帯通信制御部３０および外部通信制御部１１経由で前記関連ＵＲＬデータを受信し、前記受信ＵＲＬメモリ２４に一時記憶する。 携帯操作部２２で接続操作を行うと、携帯制御部２９は受信したＵＲＬを読出し、携帯通信回線制御部２６を経由して公開されたサーバー装置４２内の前記ＵＲＬに接続し、該ＵＲＬのデータを受信し、携帯受信メモリ２５に一時記憶させる。 携帯表示部２７は受信メモリ２５の受信データを読出し、表示画面信号を生成し、表示出力する。
【０００８】
【実施例】
図１は本発明による携帯端末を含む１実施例の要部ブロック図、図２は本発明による１実施例の要部ブロック図、図３は本発明によるサーバー部の１実施例の要部ブロック図である。図１において、１は電子看板装置、２は接続先の選択、画面の選択などの操作入力を行う操作部、３は専用サーバーへの接続および前記受信データより所定の表示画面を生成するブラウザソフトを記憶しているブラウザメモリ、４接続先のＵＲＬを記憶しているＵＲＬメモリ、５は公衆通信回線を経由して専用サーバーに接続する通信回線制御部、６は専用サーバーから受信したデータを一時記憶させる受信データメモリ、７は生成された表示画面を表示する表示部、８は装置の動作シーケンスのプログラムを記憶している看板システムメモリ、９は前記看板システムメモリの動作シーケンスに沿って本装置を制御する制御部、１０は番組を予め記憶し、所要タイミングで該番組を再生出力するファイル部、１１は外部装置との通信を制御する外部通信制御部、１２は外部通信入力した信号により前記ブラウザ部を内部操作する外部操作制御部である。２１は携帯端末装置、２２は接続先の選択、画面の選択などの操作入力を行う操作部、２３は専用サーバーへの接続および前記受信データより所定の表示画面を生成するブラウザソフトを記憶しているブラウザメモリ、２４は接続先のＵＲＬを記憶しているＵＲＬメモリ、２５は専用サーバーから受信したデータを一時記憶させる携帯受信データメモリ、２６は公衆通信回線を経由して専用サーバーに接続する携帯通信回線制御部、２７は携帯受信データメモリに記憶された受信データより表示画面信号生成し、表示出力する携帯表示部、２８は携帯端末装置の動作シーケンスのプログラムを記憶している携帯システムメモリ、２９は携帯システムメモリの動作シーケンスに沿って携帯端末装置を制御する制御部、３０は外部装置との通信を制御する携帯通信制御部である。４０は専用通信回線または公衆通信回線、４１は看板装置が表示出力する番組の一部または全てを提供する専用サーバー（サーバー装置Ａ）であり、４２、４２ａ、および４２ｂは関連情報を提供する開かれたサーバーである。
【０００９】
図２および図３において図1で説明した部分は重複するので省略し、１３は提供する番組の予定表データを記憶している番組予定メモリ、１４は時間を計測し出力する時計部、１５は番組を選択する番組選択部、１６は番組の表示データが何処にあるかのデータを記憶している番組データメモリ、１７は番組の選択にあたり選択条件を設定して番組の選択演算を行う番組選択演算部、１８は番組の選択条件を記記憶している番組選択条件メモリ、１８ａは利用者の年代、性別、買物嗜好などのデータを一時記憶させる利用者データメモリ、１８ｂは番組利用対象者の商品毎の販売量、時間毎の販売商品推移、現時点での入場者数などの販売データを一時記憶しておく販売データメモリ、１８ｃは過去、現時点および近将来までの気象データを一時記憶しておく気象データメモリ、１９はサーバーより受信したデータに一斉表示のステータスが含まれているかを判断する一斉表示判断部、２０はＵＲＬデータ、番組データ、番組予定データなどを入力するデータ入力部である。４３、４３ａ、４３ｂ、４３ｃおよび４３ｄは関連情報を提供する専用サーバーである。
【００１０】
信号の流れに沿って詳細な動作説明を行うが、請求項１のブラウザ部の動作は、既に従来技術の項で説明した内容と重複するので省略し、本発明の追加機能部に絞り説明する。図１において、看板装置の提供番組には関連情報のアクセス先のＵＲＬ（接続アドレス名またはアドレスコード）データが記述されている。 該番組の利用者が広告番組に記載されている商品のカタログ、入手先リスト、より詳しい説明などの関連情報を入手したい場合、携帯端末装置２１の携帯操作部２２を操作して、電子看板装置１に関連のＵＲＬを送信するよう指令データを送出する。 この指令データは携帯通信制御部３０で変調出力される。 電子看板装置１の外部通信制御部１０は該信号を受信し、該指令データを復調出し、外部操作制御部１２は該指令データに基づき提供番組データより関連のＵＲＬデータを生成し、再び外部通信制御部１０経由で携帯通信制御部３０に変調出力する。 携帯通信制御部３０は該変調信号をＵＲＬデータに復調出力し、受信ＵＲＬメモリ３１に一時記憶させる。 利用者は関連情報の入手のための操作を行うと、携帯制御部２９は受信ＵＲＬメモリ３１より関連サーバーのＵＲＬを読出し、携帯通信回線制御部２６を経由して関連サーバー４２に接続し、必要な情報データを受信し、携帯受信データメモリ２５に一時記憶させる。 該受信データにより、携帯表示部２７は表示画面信号を生成し表示部に表示出力する。
【００１１】
この方法により利用者は、関連情報を簡単な操作で入手することが出来ると同時に、この検索の間、個々人の携帯端末装置で操作するので電子看板装置は特定の人が専有しなくて済む。尚外部通信制御部１１および携帯通信制御部３０の通信手段は、赤外線光をデジタル変調して無線伝送する光通信送受信器、微弱電波をデジタル変調して無線伝送する電波通信送受信器、またはカード式の接続端子を設け、前記接続端子を経由してデイタル信号を直接伝送する通信手段などを選択することができる。
【００１２】
図２において、電子看板装置１は提供する番組は、専用サーバー４１からの受信データを記憶している受信データメモリ６の読出データと予め記録されているファイル部１０の番組の再生データより選択生成される。 通信回線から大量データの番組を受信するのが困難であることから、大量データの番組や長期間に渡り繰返して提供する番組は予めファイル部１０の記録媒体に記録して置き、番組選択部１５の指令に基づき、該番組のデータを再生出力する。 ファイル部１０は、ＦＤＤ、ＨＤＤまたは光磁気デイスク装置（ＭＯ）などの記録再生可能なドライブ装置、ＣＲ−ＲＯＭおよびＤＶＤ等の再生専用ドライブ装置などから適正に選択される。
【００１３】
提供する番組データは番組データメモリ１６に、番組の予定表データは番組予定データメモリ１３に、番組選択条件の演算要素データは番組選択条件メモリ１８に予め記憶されている。 時計部１４はカレンダおよび時刻を計測し、番組選択部は前記カレンダおよび時刻データと番組予定表のデータとから番組を選択出力する。 表示部７は該番組のデータより表示画面信号を生成し表示装置に表示出力する。番組選択演算部１５は、適時適正な提供番組の選択にあたり、番組選択演算のパラメータとして、利用者データ１８ａ、販売データ１８ｂ、気象データ１８ｃ、カレンダおよび時刻データなどの番組選択条件データ１８を参照して最適の番組を選択演算する。
【００１４】
前記選択番組選択条件データを得るため、図３に示す関連サーバー４３を設置またはリンク可能な状態とする。 関連サーバー４３は入手データに依存して、ＰＯＳ管理用サーバー４３ａ、チケット、航空券、旅行券などの売上及び予約売上の管理を行う売上管理用サーバー４３ｂ、過去、現時点および近将来までの気象データを管理する気象データサーバー４３ｃおよび催し物の会員、サークルの会員、カード会員などの会員情報を管理する会員情報サーバーなどの例を示すことができる。
【００１５】
看板制御部９は、時計部１４の出力に基づき、定時的に専用サーバー４１の特定ＵＲＬに接続し番組のデータを受信する指令制御を行う。 該受信データは一斉表示判断部１９で一斉表示のステイタスデータが有るかを判断し、有ると判断した時には、該受信番組を強制的に表示出力させる。 この機能により緊急表示が必要な避難指示、注意指示、お知らせなどの番組が複数の電子看板装置に一斉に表示出力される。ＵＲＬデータ、番組データ、番組予定データなどを入力はデータ入力部２０より入力される。
【００１６】
【発明の効果】
本発明は、以上に説明したような形態で実施され、以下に記載するような効果を奏する。時計部は時間を計測し、番組予定データメモリに記憶している番組予定表に沿って、ファイル部、受信データメモリなどより番組を読出し、表示部に表示出力する。 必要に応じて専用サーバー部より番組を受信し、前記受信データメモリに一時記憶させる等により適時適正な番組を自動的に表示出力させる。携帯端末装置を用いることにより、利用者は、関連情報を簡単な操作で入手することが出来ると同時に、この検索の間、個々人の携帯端末装置で操作するので電子看板装置は特定の人に専有されなくて済む。一斉表示判断部の機能により、緊急表示が必要な避難指示、注意指示、お知らせ等の番組を複数の電子看板装置に一斉に表示出力させることができる。
【図面の簡単な説明】
【図１】本発明による携帯端末装置を含む１実施例の要部ブロック図である。
【図２】本発明による１実施例の要部ブロック図である。
【図３】本発明によるサーバー部の１実施例の要部ブロック図である。
【図４】従来技術による携帯端末装置を含む要部ブロック図である。
【符号の説明】
１ 電子看板装置
２ 操作部
３、２３ ブラウザメモリ
４、２４ ＵＲＬメモリ
５ 通信回線制御部
６ 受信データメモリ
７ 表示部
８ 看板システムメモリ
９ 看板制御部
１０ ファイル部
１１ 外部通信制御部
１２ 外部操作制御部
１３ 番組予定データメモリ
１４ 時計部
１５ 番組選択部
１６ 番組データメモリ
１７ 番組選択演算部
１８ 番組選択条件メモリ
１８ａ 利用者データメモリ
１８ｂ 販売データメモリ
１８ｃ 気象データメモリ
１９ 一斉表示判断部
２０ データ入力部
２１ 携帯端末装置
２２ 携帯操作部
２５ 携帯受信データメモリ
２６ 携帯通信回線制御部
２７ 携帯表示部
２８ 携帯システムメモリ
２９ 携帯制御部
３０ 携帯通信制御部
４０ 公衆通信回線または専用通信回線
４１ 専用サーバー
４２、４３ 関連サーバー
【図１】
0003680474.tif 000002
【図２】
0003680474.tif 000003
【図３】
0003680474.tif 000004
【図４】
0003680474.tif 000005